(57)【要約】    【課題】  水栓部品の組付構造において、固定部材の組み付け作業を容易とすること。また、本体への固定部材の組付が緩まないようにするとともにスライドハンガーの分解作業も容易とすること。    【解決手段】  内部にスライドバー１が挿通されるスライドハンガー３の本体１２にリング部材５４を組み付け固定するためのスライドハンガー３の組付構造１０において、本体１２に雄ねじ部１５を設け、リング部材５４に雌ねじ部５６を設け、また、本体１２に、係合突条５０が備えられる舌状弾性片４８を設け、リング部材５４には係合突条５０に係合する係合フランジ６０を設けた。    【選択図】    図７
2005146722.tif 000002
【特許請求の範囲】
【請求項１】
内部に別の部材が挿通される水栓部品の本体に固定部材を組み付け固定するための水栓部品の組付構造であって、
前記本体と前記固定部材とのいずれかに雄ねじ部が設けられるとともに他方には該雄ねじ部に螺着される雌ねじ部が設けられ、
前記本体と前記固定部材とのいずれかに係合部が備えられる舌状弾性片が設けられるとともに他方には該係合部に係合する被係合部が設けられることを特徴とする水栓部品の組付構造。
【請求項２】
前記水栓部品がスライドハンガーであり、挿通される前記別の部材がスライドバーであることを特徴とする請求項１に記載の水栓部品の組付構造。
【請求項３】
前記雌ねじ部に前記雄ねじ部が締め切られるまでねじ込まれた状態において、前記係合部と前記被係合部が係合される部位に設けられたことを特徴とする請求項１又は２に記載の水栓部品の組付構造。
【請求項４】
前記舌状弾性片の係合部は、挿通される前記別の部材とは反対側の舌状弾性片表面に設けられるとともに、前記舌状弾性片は、前記別の部材によって弾性変形が規制可能に設けられたことを特徴とする請求項１から３までのいずれかに記載の水栓部品の組付構造。
【請求項５】
前記舌状弾性片は、前記本体側に設けられ複数に分割されたカラーに設けられたことを特徴とする請求項１から４までのいずれかに記載の水栓部品の組付構造。
【発明の詳細な説明】
【技術分野】
【０００１】
本発明は、内部にスライドバー等の別の部材が挿通されるスライドハンガー等の水栓部品において、水栓部品の本体に固定部材を組み付ける水栓部品の組付構造に関する。
【背景技術】
【０００２】
従来、内部に別の部材が挿通される水栓部品が知られており、このような水栓部品の一例として、例えば、シャワーヘッドを支持可能なフック部が備えられるとともに、浴室の壁面等に設置されるスライドバーにスライド自在かつ回動自在に取り付けられるスライドハンガーが知られている。このようなスライドハンガーは、支持されるシャワーヘッドの位置や向きをスライドバーに沿って変えることにより、シャワーヘッドからの吐水の位置・向きを所望の位置とすることができ、使用者が所望する高さ・向きにシャワーヘッドの位置を変更したり、身長差のある多数の使用者が使用する場合にそれぞれの使用者に適切な高さにシャワーヘッドを位置させたりすることができるものである。
【０００３】
そして、このような水栓部品において、本体内に内蔵される部品を本体内に固定するなどのために、本体に固定部材を組み付け固定する組付構造としては、固定部材を本体に螺着して組み付けるもの（例えば、特許文献１参照。）や、固定部材をツメ等の係合部と被係合部との係合により本体に組み付けるものなどが知られている。
【０００４】
【特許文献１】特開２００１−１１９１５号公報（図３，図４）
【発明の開示】
【発明が解決しようとする課題】
【０００５】
しかしながら、上記した従来の組付構造では以下のような問題が生じていた。螺着によって固定部材を本体に組み付ける組付構造では、固定部材のねじ込みが強すぎて固定部材や本体が損傷しないようにしたり、逆に、ねじ込みが弱すぎて組み付け後に固定部材が緩むことなどがないようにするため、適切な締付トルクで固定部材のねじ込みを行う必要があり、固定部材の組み付け作業に際して、煩雑な熟練度を必要としていた。また、固定部材が適切な締付トルクにより本体にねじ込まれていたとしても、固定部材の組み付け後に、シャワーヘッドのウォーターハンマや、使用者がシャワーヘッドをスライドハンガーに固定する際にシャワーヘッドを介してスライドハンガーに加えられる応力など、スライドハンガーに加えられる振動や応力により、固定部材のねじ込みが緩むことがあり、スライドハンガーがガタついたり、固定部材が本体から抜け落ちてスライドハンガーが脱落するなどのおそれもあった。一方で、このように固定部材のねじ込みが緩まないようにするために、固定部材の組み付け後に本体との組み付け部分を接着してしまう組付構造も用いられているが、このような組付構造では、組み付け後に、メンテナンスなどのためにスライドハンガーをスライドバーから抜脱する場合に、固定部材を本体から分離することが困難であり、スライドハンガーの分解作業が非常に困難となり作業性が悪化する。
【０００６】
また、ツメ等の係合部と被係合部とによって固定部材を本体に組み付ける組付構造では、組み付け時に相互に係合する部材が係合可能となるために、両部材間に一定の寸法の余裕が必要となるが、この寸法の余裕が、組み付け後の両部材間のガタツキの要因となり易い。また、組付後には固定部材が本体から容易には分離しないように係合部が係合されているのであるから、係合部の係合を解除することも容易ではない。したがって、このような組付構造では、上記したようなスライドハンガーの分解も非常に困難であった。
【０００７】
本発明は上記した従来の水栓部品の組付構造の問題点を解消するものであり、固定部材の組み付け作業を容易とすることのできる水栓部品の組付構造の提供を目的とし、また、本体への固定部材の組付が緩まないようにするとともにスライドハンガーの分解作業も容易とすることのできる水栓部品の組付構造の提供を目的とする。
【課題を解決するための手段】
【０００８】
以上の課題を解決するために、本発明の採った手段を以下に説明する。請求項１の発明は、内部に別の部材が挿通される水栓部品の本体に固定部材を組み付け固定するための水栓部品の組付構造であって、前記本体と前記固定部材とのいずれかに雄ねじ部が設けられるとともに他方には該雄ねじ部に螺着される雌ねじ部が設けられ、前記本体と前記固定部材とのいずれかに係合部が備えられる舌状弾性片が設けられるとともに他方には該係合部に係合する被係合部が設けられることを特徴とする水栓部品の組付構造である。
【０００９】
本発明によれば、水栓部品の本体に固定部材を組付固定する場合に、両部材に設けられた雄ねじ部と雌ねじ部により両部材を螺着するととともに、両部材に設けられた係合部と被係合部とにより両部材を係合しているので、水栓部品に加えられる振動等により両部材のねじ込み具合が緩んだ場合であっても、係合部と被係合部の係合により両部材は一定以上そのねじ込みが緩むことはない。よって、螺着部分を接着などにより固定する必要もない。一方で、係合部と被係合部との係合を解除するためには、両部材のねじ込みを徐々に緩めていけば固定部材の螺進に伴って舌状弾性片が撓み係合部と被係合部との係合が解除されるので、係合部と被係合部のみによって固定された場合等のように、固定部材を引っ張って無理に係合部を引き抜くような作業は必要としない。よって、本体から固定部材を分離させる場合にもその作業を容易に無理なく行うことができる。なお、係合部と被係合部との係合、及び係合状態の解除は、舌状弾性片が弾性変形することにより容易に行うことができる。
【００１０】
なお、本発明において「水栓部品」は、水栓に関連する種々の部品を広く指す。また、「固定部材」は、例えば本体内に部品を内蔵し、これを本体内に堅固に組み付けるための部材等を言う。  
【００１１】
また、請求項２の発明は、前記水栓部品がスライドハンガーであり、挿通される前記別の部材がスライドバーであることを特徴とする請求項１に記載の水栓部品の組付構造である。
【００１２】
スライドバーが挿通されるスライドハンガーは、上記のように、スライドバーに沿ってスライド自在に設けられるとともに、所望の位置で固定することが可能であり、その内部にはスライドハンガーをスライドバーに固定するためのパッキンその他の部材が取り付けられている。本発明のように、スライドハンガーにおいて上記した組付構造を適用すると、スライドハンガー内部に設けられたスライドバーへの固定構造等をスライドハンガーの本体内に収容するとともに、固定部材によりこれらを本体内に確実・堅固に保持することができ好適である。
【００１３】
また、請求項３の発明は、前記雌ねじ部に前記雄ねじ部が締め切られるまでねじ込まれた状態において、前記係合部と前記被係合部が係合される部位に設けられたことを特徴とする請求項１又は２に記載の水栓部品の組付構造である。
【００１４】
本発明によれば、雄ねじ部が雌ねじ部に締め切られるまでねじ込まれた状態において係合部が被係合部に係合されるので、ねじの締め切り状態においてねじが緩むことは無く、よって、係合部と被係合部とのガタツキを極力抑えることもできる。
【００１５】
また、請求項４の発明は、前記舌状弾性片の係合部は、挿通される前記別の部材とは反対側の舌状弾性片表面に設けられるとともに、前記舌状弾性片は、前記別の部材によって弾性変形が規制可能に設けられたことを特徴とする請求項１から３までのいずれかに記載の水栓部品の組付構造である。
【００１６】
上記した各発明では、舌状弾性片が弾性変形することによって係合部と被係合部との係合及び係合状態の解除が行われるのであるが、本発明によれば、本体に固定部材を組み付けた後に、さらに別の部品を水栓部品に挿通した状態では、舌状弾性片の弾性変形が規制され係合部は容易には解除されない。よって、別の部品に挿通することにより、挿通した状態では本体への固定部材の組付固定をより一層堅固にすることができる。特に、別の部品（例えば、上記したスライドバー）を挿通した状態で実際に使用する水栓部品においては、使用状態においてはより堅固に水栓部品が組付固定されているとともに、別の部品から抜いてしまえば舌状弾性片に対する弾性変形規制が解かれ、メンテナンス等のために固定部材を取り外すことは比較的容易となり、分解作業を容易に行うこともできる。
【００１７】
また、請求項５の発明は、前記舌状弾性片は、前記本体側に設けられ複数に分割されたカラーに設けられたことを特徴とする請求項１から４までのいずれかに記載の水栓部品の組付構造である。
【００１８】
本発明によれば、舌状弾性片は複数に分割されたカラーに設けられているので、固定部材が本体に螺着し易く設けられるとともに、分割されたカラーが拡開されることにより水栓部品に別の部品を挿通し易く設けることができる。
【発明の効果】
【００１９】
本発明は上記のように雄ねじ部と雌ねじ部により螺着されるとともに、係合部と被係合部とにより係合されているので、ねじが緩んでも係合部により一定以上ねじが緩むことはなく、本体と固定部材が確実に固定され、ねじを接着などにより固定する必要もない。また、ねじを緩めることにより、係合部と被係合部との係合状態の解除は無理なく行える。また特に請求項２の発明では、スライドバーを挿通するスライドハンガーの本体に固定部材を確実・堅固に固定し、内部の固定構造等を確実・堅固に保持させることができる。また特に請求項３の発明では、ねじの締め切り状態においてねじが緩むことは無く、係合部と被係合部とのガタツキを極力抑えることもできる。また特に請求項４の発明では、別の部品を挿通した状態において水栓部品の本体への固定部材の固定をより一層堅固に行うこともできるとともに、別の部品から抜脱すれば固定部材を容易に取り外すことができるので、水栓部品の分解作業を容易に行うこともできる。また特に請求項５の発明では、固定部材が本体に螺着し易く設けられるとともに、分割されたカラーが拡開されることにより水栓部品に別の部品を挿通し易くすることもできる。
【発明を実施するための最良の形態】
【００２０】
次に、本発明の水栓部品の組付構造の実施の形態を図を参考にして詳細に説明する。図１に示すように、本発明に言う「水栓部品」の一例であるスライドハンガー３の組付構造１０は、浴室の壁面に、その長手方向を浴室の上下方向に沿わせて配設された中空棒状のスライドバー１に挿通固定されるスライドハンガー３の部品の組み付けに用いられるものである。スライドハンガー３は、このスライドバー１に沿ってスライド自在かつ回動自在に設けられているとともに、スライドバー１上の所望の位置で固定することが可能であり、そのフック部５に着脱自在に支持されるシャワーヘッドの高さ及び向きを適宜に変更することにより、使用者が所望する高さ・向きにシャワーヘッドの位置を変更したり、身長差のある多数の使用者が使用するシャワーの場合にはそれぞれの使用者に適切な高さにシャワーヘッドを位置させたりすることができるように設けられている。
【００２１】
スライドハンガー３は、その本体１２が、側面から見て先端にかけてやや前方側（図１の右側）に緩やかに湾曲して形成されており、その先端には、上記したフック部５が取り付けられている。このフック部５は、本体１２の先端に対して回動自在に取り付けられており、支持されるシャワーヘッドの向きを本体１２の先端に対して変えてシャワーヘッドからの散水の向きを変えることもできるように設けられている。
【００２２】
次いで、本体１２について説明する。図２及び図３に示すように、本体１２は、上記したようにその先端部１４が側面から見て先端にかけてやや前方側に緩やかに湾曲して形成されるとともに、基端側の基端部１６は、スライドバー１よりも大径の円筒形状に形成されている。そして、上記したスライドバー１は概ねこの基端部１６内に挿通されている。また、基端部１６の正面側には、スライドバー１に対してスライドハンガー３をスライド自在、又はスライド不能のいずれかとなるように操作するための操作ハンドル１７が取り付けられている。また、基端部１６の下端外周面には、雄ねじ部１５が設けられている。また、先端部１４の上面にはスライドバー１を挿通させる挿通孔９が開口された上部カバー７が取り付けられている。
【００２３】
また、図４にも示すように、基端部１６の内部には、スライドハンガー３径方向内側への操作ハンドル１７の押動操作によりスライドハンガー３のスライドバー１への固定状態を解除するための、第１カラー２０、第２カラー２２、パッキン２３及び板バネ２６が備えられている。第１カラー２０及び第２カラー２２は、円筒をその軸心に沿って半割した形状にそれぞれ形成されており、両カラー２０，２２を組み付けると１つの円筒状の部材をなし、その内側にスライドバー１を挿通させるように形成されている。また、第１カラー２０及び第２カラー２２の正面側には、それぞれ対向するように、スライドハンガー３径方向内側に向けて合わせ面２１方向に傾斜する傾斜面３０を備えた突片３２がそれぞれ設けられており、両カラー２０，２２を組み付けた際には、両突片３２が向き合い、スライドハンガー３径方向内側に向けて幅狭となる拡開部３４を構成するように左右対称に設けられている。また、両カラー２０，２２の下方よりには、操作ハンドル１７の取付突起３６が軸着される取付孔３８がそれぞれ設けられており、操作ハンドル１７はこの取付孔３８に揺動自在に取り付けられている。なお、本例では第１カラー２０及び第２カラー２２は、完全に別体のものを組み付けることとしているが、拡開部３４側においては両カラー２０，２２は分割されたものとするとともに拡開部３４と反対側（背面側）においては両カラー２０，２２を連設し、この連設部を支点として拡開部３４が拡開可能に設けたものとしても良い。
【００２４】
また、後述するように、両カラー２０，２２の下部には、２条のフランジ４４，４６がそれぞれ周設されており、図４に示すように、下端側に設けられるフランジ４６のうち取付孔３８が設けられる部位の直下の部位は切り欠かれ、図３にも示すように、上方のフランジ４４の真下から下方に向けて突設された舌状弾性片４８が両カラー２０，２２の下端にまでそれぞれ延設されている。両カラー２０，２２の下部は、このフランジ４４，４６により変形し難く設けられるとともに、本体１２内周面にフランジ４４，４６外周縁が近接されることにより、両カラー２０，２２内にスライドバー１が挿通された状態でスライドハンガー３に強い力が加わった際にはフランジ４４，４６が本体１２内周面に当接して両カラー２０，２２下部の変形を防止し、スライドハンガー３の変形を防止する。そしてまた、これらの舌状弾性片４８の先端であって、両カラー２０，２２の外側面には、それぞれ「係合部」の一例である係合突状５０が設けられている。
【００２５】
ほぼ方形のシート状のパッキン２３は、上記した第１カラー２０及び第２カラー２２のほぼ対向する位置にそれぞれ開設された取付孔４０に、その外周縁に周設された段部２５を取付孔４０の外周縁に係合させて、両カラー２０，２２の内周側にその圧着面２４を露呈させてそれぞれ取り付けられている。また、このパッキン２３は、スライドバー１の外周面の周方向に沿うように横断面が円弧状に形成されている。
【００２６】
板バネ２６は、両カラー２０，２２の、取付孔４０が開設されるそれぞれの抱着部４２に外周側から巻き付けられるようにして両カラー２０，２２に取り付けられており、その全体形状は、正面側にその軸心方向に沿って切り欠き２７を形成したほぼ円筒状に形成されている。板バネ２６の内径は、両カラー２０，２２を組み付けた際の抱着部４２の外径よりも若干小径に形成されており、抱着部４２に取り付けた際には、両カラー２０，２２を径方向内側に付勢し、両カラー２０，２２が分解されないようにするとともに、取付孔４０に取り付けられた両パッキン２３を両カラー２０，２２内側に向けて付勢する。
【００２７】
操作ハンドル１７は全体がほぼ舌片状に形成されており、上記したように、その基端側の左右に突設された取付部１９に設けられた取付突起３６を支点にして、両カラー２０，２２の取付孔３８に揺動自在に軸着され、両カラー２０，２２の外周側から両カラー２０，２２の正面側に取り付けられている。また、操作ハンドル１７の裏側、すなわち両カラー２０，２２側には、横断面三角形状の突起１８が設けられている。この突起１８は、操作ハンドル１７が両カラー２０，２２に取り付けられた状態において、両カラー２０，２２の拡開部３４内に挿入された状態に位置するように設けられている。そして、図５に示すように、操作ハンドル１７をスライドハンガー３内側に向けて押し込むように押動操作すると、揺動する操作ハンドル１７に伴い突起１８が拡開部３４内に嵌入され、拡開部３４を押し開くように構成されている。
【００２８】
このように、図６に示すように、板バネ２６により内方に付勢されるパッキン２３がスライドバー１に圧着されて、スライドハンガー３がスライドバー１に固定される。そして、操作ハンドル１７を押し込むと、図５に示すように、突起１８が拡開部３４を押し開くとともに、両カラー２０，２２も拡径するように押し開かれ、パッキン２３のスライドバー１への圧着が解除されてスライドハンガー３のスライドが可能となる。
【００２９】
また、図１乃至図３、及び図７に示すように、本体１２下端には、本発明に言う「固定部材」の一例であるリング部材５４が固定されている。リング部材５４は、外径が本体１２の基端部１６の下端とほぼ同径の有底円筒状に形成されている。図７、図８に示すように、リング部材５４の開口内周面には、基端部１６の雄ねじ部１５に螺着可能な雌ねじ部５６が設けられている。また、リング部材５４の底部５８内側には、本発明に言う「被係合部」の一例である係合フランジ６０が周設されている。この係合フランジ６０の内径は、両カラー２０，２２が組み付けられた状態において両カラー２０，２２の舌状弾性片４８に設けられた係合突条５０先端間の間隔よりも小さく設けられており、両カラー２０，２２及びリング部材５４が本体１２に取り付けられた状態では係合突条５０と係合フランジ６０が係合されるように設けられている。
【００３０】
このように構成されたスライドハンガー３の組付構造１０では、図４に示すように、両カラー２０，２２を組み合わせ、それぞれの取付孔４０にパッキン２３を取り付けた後に板バネ２６を抱着部４２に取り付ける。そして、さらに操作ハンドル１７の取付突起３６を両カラー２０，２２の取付孔３８に取り付ける。そして、このように組み付けたこれらの両カラー２０，２２、パッキン２３、板バネ２６及び操作ハンドル１７を本体１２の基端部１６内にその下部から挿通する。なお、基端部１６下部には、図２に示すように、下方に向けて開放された切り欠き１３が設けられており、本体１２内に取り付けられた状態においても操作ハンドル１７はこの切り欠き１３から本体１２外側に突設される。そして、本体１２の先端部１４の上側に上部カバー７を取り付ける。そして最後に、基端部１６の下端にリング部材５４を固定する。
【００３１】
リング部材５４は、その開口側を基端部１６の下端の雄ねじ部１５に螺着するようにねじ込んで本体１２に固定される。このねじ込みの際には、図９に示すように、基端部１６の雄ねじ部１５にリング部材５４がねじ込まれていくとともに、係合フランジ６０が係合突条５０の傾斜面５２に当接する。傾斜面５２は、舌状弾性片４８の先端側から基端側にかけて突出するように傾斜されており、この状態ではスライドバー１はスライドハンガー３に挿通されていないので、さらにリング部材５４をねじ込んでいくとリング部材５４の係合フランジ６０がこの傾斜面５２に沿うようにして舌状弾性片４８を押して内方に撓ませ、係合フランジ６０が係合突条５０を乗り越え、リング部材５４が基端部１６の雄ねじ部１５の奥端までねじ込まれると、図２、図３及び図８に示すように、係合フランジ６０が係合突条５０の舌状弾性片４８基端側に係合されるとともに、舌状弾性片４８は元の形状に復帰する。このようにして、リング部材５４は、本体１２の雄ねじ部１５に螺着され、さらに雄ねじ部１５の奥端までねじ込まれた状態において、係合突条５０によりその係合フランジ６０が係合固定される。よって、リング部材５４の組み付け後に、例えば振動等により雄ねじ部１５に対するねじ込みが多少緩んだとしても、係合突条５０によりその係合フランジ６０が係合されているので、リング部材５４が本体から分離してしまうようなことは無い。なお、後述するように、係合フランジ６０は係合突条５０の舌状弾性片４８基端側の傾斜面５３により係合されている。
【００３２】
そして、このように組み付けられたスライドハンガー３を、図１乃至図３に示すように、スライドバー１に挿通させて使用する。スライドバー１に挿通させた状態では、図２、図３及び図８に示すように、舌状弾性片４８はスライドバー１外周面に当接されて係合突条５０と反対側への撓みは規制され、係合突条５０と係合フランジ６０との係合は容易には解除されないので、使用時におけるリング部材５４の固定は非常に堅固なものとすることができる。
【００３３】
一方で、例えばパッキン２３の交換等のメンテナンス等の必要のためにスライドハンガー３を分解する場合には、スライドバー１からスライドハンガー３を抜脱すれば、スライドバー１による舌状弾性片４８への規制が無くなるので、係合突条５０と係合フランジ６０との係合状態は解除しやすくなる。また、ここで、リング部材５４は本体１２の雄ねじ部１５に螺着されているので、リング部材５４のねじ込みを徐々に緩めていけば、無理な力を加えることなく、係合突条５０と係合フランジ６０との係合状態を解除することができる。なお、上記したように係合フランジ６０は係合突条５０の舌状弾性片４８基端側の傾斜面５３により係合されているので、係合状態の解除時にも、係合フランジ６０が傾斜面５３を押して舌状弾性片４８を撓ませるようにして係合状態が容易に解除されるように設けられている。
【００３４】
なお、本発明は上記した実施の形態に限られるものではなく、本発明の趣旨の範囲内で種々の変更が可能である。例えば、本実施の形態では、リング部材５４がスライドハンガー３の本体１２の下部に固定される例を示したが、このようなリング部材５４を本体１２の基端部１６の上部など、本体１２の下部以外の部位に固定するものとすることもできるが、本実施の形態のように本体１２の下部に固定する構成とすることにより、本体１２とは別体のリング部材５４を使用者の目に付きにくくしてスライドハンガー３の美観を損ねないようにすることができる。また、本実施の形態と異なり、リング部材５４側に雄ねじ部を、本体１２側に雌ねじ部を設けることとしても良い。また、「係合部」としては上記した係合突条５０に限られず、「被係合部」が係合される突起や凹部や溝等でも良く、またこれらの突起等を複数周設するとより安定的に係合状態を保つことができ好適である。また、「被係合部」についても係合フランジ６０に限られず、「係合部」が係合する突条、突起や凹部や溝等でも良く、この場合に複数の突条等を周設することが好ましいことも「係合部」と同様である。
【００３５】
また、本実施の形態では、リング部材５４の係合フランジ６０が係合する舌状弾性片４８は、スライドハンガー３の本体１２側に設けられているが、図１０に示すように、舌状弾性片４８をリング部材５４側に設けることもでき、このように第１カラー２０、第２カラー２２側ではなくリング部材５４側に設けることにより、第１カラー２０及び第２カラー２２の形状を簡素化することができる。
【００３６】
また、請求項１から３、及び請求項５の発明では、舌状弾性片４８の係合突条５０がスライドハンガー３内部に挿通されるスライドバー１側に向けられて設けられるものとすることもできる。しかしながら、スライドハンガー３をスライドバー１に挿通させた状態において係合フランジ６０への係合突条５０への係合をより堅固にするためには、本実施の形態のように、挿通されるスライドバー１と反対側に向けて係合突条５０を突設し、係合突条５０の係合が解除される方向への舌状弾性片４８の撓みを規制する位置にスライドバー１が保持されるように設けることが好ましい。
【００３７】
また、請求項１から４までの発明では、舌状弾性片４８をカラー２０，２２以外の部材、例えば本体１２に設けることもできる。
【図面の簡単な説明】
【００３８】
【図１】本発明の組付構造を用いたスライドハンガーとスライドバーの側面図である。
【図２】図１のスライドハンガー及びスライドバーの側面視一部縦断面図である。
【図３】図１のスライドハンガー及びスライドバーの正面視一部縦断面図である。
【図４】カラー、パッキン、板バネ及び操作ハンドルの分解斜視図である。
【図５】操作ハンドルを押動操作した状態のスライドハンガー及びスライドバーの横断面図である。
【図６】操作ハンドルを押動操作していない状態のスライドハンガー及びスライドバーの横断面図である。
【図７】スライドハンガーの本体の下部とリング部材の分解斜視図である。
【図８】組付構造の要部拡大縦断面図である。
【図９】スライドバーを挿通する前であってリング部材を本体に組み付ける際のスライドハンガー及びスライドバーの背面視一部破断面図である。
【図１０】別の組付構造の要部拡大縦断面図である。
【符号の説明】
【００３９】
１；スライドバー、３；スライドハンガー、５；フック部、７；上部カバー、９；挿通孔、１０；組付構造、１２；本体、１３；切り欠き、１４；先端部、１５；雄ねじ部、１６；基端部、１７；操作ハンドル、１８；突起、１９；取付部、２０；第１カラー、２１；合わせ面、２２；第２カラー、２３；パッキン、２４；圧着面、２５；段部、２６；板バネ、２７；切り欠き、３０；傾斜面、３２；突片、３４；拡開部、３６；取付突起、３８；取付孔、４０；取付孔、４２；抱着部、４４，４６；フランジ、４８；舌状弾性片、５０；係合突条、５２；傾斜面、５３；傾斜面、５４；リング部材、５６；雌ねじ部、５８；底部、６０；係合フランジ。
【図１】
2005146722.tif 000003
【図２】
2005146722.tif 000004
【図３】
2005146722.tif 000005
【図４】
2005146722.tif 000006
【図５】
2005146722.tif 000007
【図６】
2005146722.tif 000008
【図７】
2005146722.tif 000009
【図８】
2005146722.tif 000010
【図９】
2005146722.tif 000011
【図１０】
2005146722.tif 000012